(57)【要約】      （修正有）【課題】人体の接近を検知するセンサを観察者に見えないように装置自体に内蔵させた、インテリア性の高い画像表示装置を提供する。【解決手段】表示画面１３に表示される画像を、ミラー部１に反射した光により生成される像に重ねて、ミラー部の前面側から観察可能とする画像表示装置ＭＳであり、ミラー部は、入射光の一部を反射し一部を透過する光透過反射部７を備え、光透過反射部は赤外線を透過可能に構成される。画像表示部１１の表示画面１３は、光透過反射部の後面７ａに接近した状態で、後面７ａに対向するように配置され、人体の接近を検知する赤外線センサ２３は、後面７ａに接近した状態で、光透過反射部の後側に配置される。【選択図】図２
0003196837.tif 000002
【実用新案登録請求の範囲】
【請求項１】
入射光の一部を反射し、一部を透過する光透過反射部を少なくとも一部に備えるミラー部と、
表示画面が、前記光透過反射部の後面に接近した状態で、前記光透過反射部の後面に対向するように配置される画像表示部と、
人体の接近を検知する赤外線センサと、
前記画像表示部に画像データを送信する画像形成部と、
前記赤外線センサから入力した人体検知信号に基づいて前記画像形成部を制御する制御処理部と、
を備え、
入射光のうち前記ミラー部に反射した光により生成される像に重ねて、前記表示画面に表示される画像を、前記光透過反射部を透過させて前記ミラー部の前面側から観察可能とさせる画像表示装置であって、
前記光透過反射部が赤外線を透過可能に構成され、
前記赤外線センサが、前記光透過反射部の後面に接近した状態で、前記光透過反射部の後側に配置される
ことを特徴とする画像表示装置。
【請求項２】
請求項１に記載する画像表示装置であって、
前記赤外線センサが、人体に向けて赤外線を出射する投光部と、人体からの反射光を受光する受光部とを備えて構成される赤外線反射型距離センサであり、
前記発光部と前記受光部とが、前記ミラー部における前記光透過反射部の後面に接近した状態で、前記光透過反射部の後側に配置され、
前記制御処理部が、前記赤外線反射型距離センサから入力された人体検知信号に基づいて人体との距離を算出し、当該距離に基づいて前記画像形成部を制御する
ことを特徴とする画像表示装置。
【請求項３】
請求項１または２に記載する画像表示装置であって、
前記光透過反射部が、タッチパネルとして機能可能に、タッチセンサ層を備えて構成され、
前記表示画面に表示された画像が透過した状態の前記光透過反射部に人の接触があった際に、前記制御処理部が、前記タッチセンサ層から入力された位置検出信号に基づいて、前記画像形成部を制御する
ことを特徴とする画像表示装置。
【請求項４】
請求項１乃至３のいずれかに記載する画像表示装置であって、前記ミラー部、前記画面表示部、前記赤外線センサ、前記画面形成部および前記制御処理部が一体化された画像表示装置。
【考案の詳細な説明】
【技術分野】
【０００１】
本考案は、鏡の機能を持ち合わせ、広告、案内、空間演出等、多様な用途に使用できる画像表示装置に関する。
【背景技術】
【０００２】
近年、表示、広告、空間演出の分野において、平面ディスプレイとデジタル技術を組み合わせたさまざまな画像表示装置、画像表示方法が盛んに活用されている。そのような画像表示装置の一つとして、平面ディスプレイからなる画像表示部の前面にハーフミラーを配置することにより、ハーフミラーに映る情景に重ねて、画像表示部に表示される画像をハーフミラーの前面に透過させて観察可能とさせるものがあった（特許文献１）。この画像表示装置は、人体の接近を検知することができる人感センサを備え、人体の接近を検知した際に、画像表示部を起動させるように構成されていた。人感センサは、ハーフミラーが納められた枠体の縁の内部に配置され、枠体縁に設けられた開口部を経て、ハーフミラー前方を臨むように構成されていた。
【０００３】
また、画像表示装置の画像表示部を、人感センサにより人体の接近を検知した際に起動させるようにする場合、人感センサを、装置の近傍の天井や壁等に、装置から離した状態で設置することもあった。
【０００４】
しかし、人感センサをハーフミラーの枠の内部に配置させる構成では、センサが観察者から容易に視認可能となっており、見た目がよくなかった。特に、この種の画像表示装置は、広告の目的だけでなく、部屋に絵画を飾るがごとく、環境映像等を表示してインテリアの一部として空間を演出する目的に使用されることも多くなっており、その外観を向上させることが望まれていた。
【０００５】
またセンサを画像表示装置近傍の天井や壁に配置する場合には、やはり観察者から視認可能であって野暮ったく、その上、センサのために別途配線が必要となって不都合であった。
【先行技術文献】
【特許文献】
【０００６】
【特許文献１】特開２００６−５３２７７号公報
【考案の概要】
【考案が解決しようとする課題】
【０００７】
そこで本考案は、人体の接近を検知するセンサを観察者に見えないように装置自体に内蔵させた、インテリア性の高い画像表示装置を提供することを目的とする。
【課題を解決するための手段】
【０００８】
本考案に係る画像表示装置は、入射光の一部を反射し、一部を透過する光透過反射部を少なくとも一部に備えるミラー部と、表示画面が、光透過反射部の後面に接近した状態で、光透過反射部の後面に対向するように配置される画像表示部と、人体の接近を検知する赤外線センサと、画像表示部に画像データを送信する画像形成部と、赤外線センサから入力した人体検知信号に基づいて画像形成部を制御する制御処理部と、を備え、
入射光のうち前記ミラー部に反射した光により生成される像に重ねて、表示画面に表示される画像を、光透過反射部を透過させてミラー部の前面側から観察可能とさせる画像表示装置であって、
光透過反射部が赤外線を透過可能に構成され、赤外線センサが、光透過反射部の後面に接近した状態で、光透過反射部の後側に配置されることを特徴とする。
【０００９】
本考案の画像表示装置によれば、赤外線センサが、赤外線を透過可能とした光透過反射部の後面に接近した状態で、光透過反射部の後側に配置されるため、赤外線センサは、人体を検知するという機能を果たしつつ観察者により視認されず、装置全体としての外観やインテリア性が向上する。また、赤外線センサの存在を観察者に気付かせることなく、表示画面に表示される画像の操作ができるので、観察者に意外性を感じさせるという効果もあげることができる。また、赤外線センサが光透過反射部の後面に配置されていれば、赤外線センサを装置設置位置の近傍の天井や壁等に配置させて別途配線を行う場合に比べて、画像表示装置の設置が容易となる。また、鏡に映る情景、すなわち、ミラー部の前面側からの入射光のうち、ミラー部に反射した光により生成される像と、表示画面からミラー部の光透過反射部を透過して表示される画像とが重なって融合し、観察者に強い印象を与える、不思議で浮遊感のある映像演出ができ、高い空間演出効果を上げることができる。
【００１０】
上記の画像表示装置において、赤外線センサを、人体に向けて赤外線を出射する投光部と、人体からの反射光を受光する受光部とを備えて構成される赤外線反射型距離センサとし、発光部と受光部とを、ミラー部における光透過反射部の後面に接近した状態で、光透過反射部の後側に配置して、制御処理部が、赤外線反射型距離センサから入力した人体検知信号に基づいて人体との距離を算出し、当該距離に基づいて画像形成部を制御するように構成することが望ましい。この構成では、赤外線センサが、広い範囲内を通りがかっただけの人に反応して画像の表示や切り替え等を行う受動型人感センサである場合と比較して、情報を求めて画像表示装置に一定の距離まで接近する人にのみ反応して、必要な情報を観察者にむけて効果的に表示することができる。
【００１１】
また、上記の画像表示装置において、光透過反射部に、タッチパネルとして機能可能にタッチセンサ層を配設させ、表示画面に表示された画像が透過した状態の光透過反射部に人の接触があった際に、制御処理部が、タッチセンサ層から入力された位置検出信号に基づいて画像形成部を制御するように構成してもよい。この構成によれば、観察者の求めに応じたインタラクティブな画像表示を行うことができる。
【００１２】
また、上記の画像表示装置を、ミラー部、画面表示部、赤外線センサ、画面形成部および制御処理部を一体化した構成とすれば、所望の場所に移動させて使用することができ利便性が高い。
【図面の簡単な説明】
【００１３】
【図１】本考案の実施形態である画像表示装置の斜視図である。
【図２】図１の画像表示装置の概略分解斜視図である。
【図３】図１の画像表示装置の概略部分縦断面図である。
【図４】図１の画像表示装置のブロック図である。
【図５】別の実施形態の画面表示装置の概略分解斜視図である。
【図６】図５の画面表示装置の概略部分縦断面図である。
【図７】図５の画像表示装置のブロック図である。
【図８】図５の画像表示装置において、画像の一例が表示された表示画面を示す図である。
【考案を実施するための形態】
【００１４】
以下に本考案の望ましい実施形態を図面に基づいて説明する。
【００１５】
図１から３に示す実施形態の画像表示装置ＭＳは、来訪者に向けて情報や映像を表示するように、例えばオフィスの受付脇や、ホテル等の受付や宴会場の入口脇における床面に設置されるスタンド式として構成されている。
【００１６】
画像表示装置ＭＳは、ミラー部１と、画像を表示する画像表示部１１と、人体の接近を検知する赤外線センサ２３と、画像形成部３１と、コントロールユニット２５と、これらを支持するための基台１０と、を備える。なお、図２では、基台１０を省略している。なお、本明細書でいう「画像」とは、静止画及び動画を含む概念とする。
【００１７】
基台１０は、土台板部１０ａと、土台板部１０ａ上に立設固定される矩形の枠体部１０ｂと、画像表示装置ＭＳを容易に移動可能とするために土台板部１０ａの四隅に固定されるキャスター１０ｃとを備える。
【００１８】
ミラー部１は、入射光の一部を反射し一部を透過するハーフミラー４からなるもので、基台１０の枠体部１０ｂの前面側にはめ込まれ、固定される。ハーフミラー４は、鏡と同様に、例えば、プラスチックやガラス等の平板状透明基材の片面に銀やアルミニウムなどの金属膜を蒸着することにより製造されるが、その蒸着量を調節することにより、鏡のように入射光を略全部反射させるのではなく、入射光の一部を透過させるようになっている。これにより、後述する画像表示部１１の表示画面１３が表示する画像が、ミラー部１の前面側に透過して、観察者がその画像を観察できる。なお、ミラー部１を構成するハーフミラー4は、必ずしも反射率と透過率が１：１でなくともよい。また本実施形態のハーフミラー４は、赤外線透過タイプのハーフミラーとして構成され、後述する赤外線センサ２３から出射される赤外線を透過できるようになっている。後述するように、画像表示部１１の表示画面１３と赤外線センサ２３，２３とが、ミラー部１の後面１ａに対向するように配置されるが、ミラー部１の後面１ａにおける、画像表示部１１と赤外線センサ２３，２３とが配置される部位以外の部位には、図２および３に示すように、黒色のアクリル板からなる遮光層５が設けられている。遮光層５が配置される部位、すなわち一般部４０では入射光は透過しなくなるので、ミラー部１の前面から見た場合、一般部４０は完全な鏡として機能することとなり、一般部４０を除く部位が、入射光の一部を反射し一部を透過し、また赤外線透過性を有する光透過反射部７として機能する。本実施形態では、光透過反射部７は、図２の破線で示すように、ミラー部１の上縁側において、画像表示部１１が配置される部位である矩形の部位と、その上縁部と下縁部とにおける、赤外線センサ２３，２３が配置される部位である矩形の部位とをつなげたような形状として設けられており、これ以外の部位である一般部４０の後面に遮光層５が設けられている。さらに詳しくは、光透過反射部７における、画像表示部１１が配置される部位である表示画面配置部７ｂに関しては、遮光層５は、画像表示部１１が配置された際に、画像表示部１１のフレーム部１１ａが前面から透けて見えないように、フレーム部１１ａまでを極力覆い、表示画面１３のみを覗かせるような形状に形成されている。なお、実施形態の遮光層５は黒色のアクリル板から構成したが、他に、黒色でなくとも不透明な板や、また、塗装等により黒色をはじめとする不透明な層をミラー部１の後面１ａに形成することでも代替できる。
【００１９】
画像表示部１１は、画像形成部３１と電気的に接続されて、画像形成部３１から転送される画像を表示する表示画面１３を備える。表示画面１３は、ミラー部１の光透過反射部７における、表示画面配置部７ｂにおいて、外乱光の影響を防止するため、光透過反射部７の後面７ａに接近した状態で光透過反射部７の後面７ａに対向するように配置されている。表示画面１３は、例えば液晶ディスプレイのような、図示しないバックライトで光を得るタイプ、または、プラズマディスプレイパネルのような自発光タイプ等、任意の平面ディスプレイを利用できるが、光透過反射部７を経て前面側に表示される画像を鮮明とするために、輝度の高いものが望ましい。表示画面１３に画像が表示される状態では、その画像は、ミラー部１の光透過反射部７を透過し、ミラー部１前面から見える状態となり、表示画面１３に何も画像が表示されないブラックアウト状態では、ミラー部１全体が鏡のようになる。画像表示部１１は、基台１０の枠体部１０ｂに固定される図示しない取付具に、赤外線センサ２３，２３とともに取付固定される。
【００２０】
画像形成部３１は、後述するコントロールユニット２５と接続されてコントロールユニット２５に内蔵される制御処理部７０に制御されるもので、制御処理部７０から入力される制御信号に基づき、画像データを画像表示部１１に送信する等、所定の動作を実行するものである。画像形成部３１は接続される媒体から画像を読み込んで再生するタイプのほか、コンピュータから構成されてもよい。また、インターネットと接続されて、インターネットを介して画像を読み込むものでもよい。画像形成部３１は、後述するコントロールユニット２５とともに、ミラー部１の一般部４０の背面において、基台１０の枠体部１０ｂに取付固定される図示しない保持部材に保持される。
【００２１】
赤外線センサ２３は、赤外線を利用して人体の接近を検知するセンサであり、本実施形態では、対象物に向けて赤外線を出射する投光部２３ａと、対象物からの反射光を受光する受光部２３ｂとを備えて、受光部２３ｂにおける受光位置を解析することにより対象物からの距離を判断する赤外線反射型距離センサから構成される。投光部２３ａは赤外線を出射する発光素子を備え、受光部２３ｂは反射光を受光する受光素子を備える。本実施形態の赤外線センサ２３は、図１および３に示すように、画像表示部１１の上縁の上部と、下縁の下部における２箇所、すなわち、ミラー部１の光透過反射部７の後面７ａにおける、センサ配置部７ｃ，７ｃに配置される。そして、赤外線センサ２３，２３は、図１および３に示すように、投光部２３ａと受光部２３ｂとが、ミラー部１の光透過反射部７におけるセンサ配置部７ｃ，７ｃにおいて、光透過反射部７の後面７ａに接近した状態で光透過反射部７の後側に配置される。ミラー部１の光透過反射部７は赤外線透過性を有するので、投光部２３ａから出射された赤外線は光透過反射部７を透過して人体に向かい、人体に当たって反射した反射光も、光透過反射部７を透過して、受光部２３ｂに入射する。人体の検知時、赤外線センサ２３，２３は、受光部２３ｂの受光素子上における人体からの反射光の受光位置情報を信号化して人体検知信号Ｄｓとしてコントロールユニット２５に送る。赤外線センサ２３，２３は、画像表示部１１とともに、基台１０の枠体部１０ｂに固定される図示しない取付具に取付固定される。
【００２２】
コントロールユニット２５は、赤外線センサ２３，２３と画像形成部３１とに電気的に接続され、赤外線センサ２３の受光部２３ｂから入力された人体検知信号Ｄｓに基づいて人体からの距離を算出し、それが予め設定された距離の範囲内であると判断した場合に、所定の動作を実行するように画像形成部３１に制御信号を出力する制御処理部７０を備える。
【００２３】
図４の画像表示装置ＭＳのブロック図に示すように、制御処理部７０は、赤外線センサ２３，２３から入力された人体検知信号Ｄｓに基づいて人体との間の距離を算出し、それが設定された距離の範囲内であるかどうかを判断する距離判断手段２２０と、画像形成部３１に実行させる動作を設定及び記録する動作設定記録部２３０と、距離判断手段２２０による判断結果がＹＥＳであった場合に、動作設定記録部２３０から画像形成部３１が実行すべき動作情報を読み込んで画像形成部３１に制御信号を出力する制御信号生成手段２４０と、を備える。
【００２４】
ここで、動作設定記録部２３０に記録される、人体の接近を検知した場合に画像形成部３１が実行すべき動作は画像表示装置ＭＳが設置される場所や目的に応じて種々考えられ、例えば、「待受け画像の表示を停止して、別の特定の画像を表示する」、「停止状態から起動し、特定の画像を表示する」、「表示中の画像を停止する」等の動作情報が動作設定記録部２３０に記録される。
【００２５】
例として、動作設定記録部２３０に記録される所定の動作が、「待受け画像の表示を停止して、別の画像を表示する」である場合の画像表示装置ＭＳの動作を以下に説明する。
【００２６】
人の接近がない通常時、画像表示装置ＭＳにおける画像表示部１１の表示画面１３には、待受け画像が表示されている。待受け画像は、画像形成部３１に接続された媒体に記憶されたものが再生されている。この待受け画像は、ミラー部１の光透過反射部７を透過して前面に透過するので、光透過反射部７を除く一般部４０が後面１ａにおいて遮光されて鏡状態となったミラー部１を前面から見た場合、鏡に映る情景の中に表示画面１３に表示される画像が浮かび上がるような状態となる。
【００２７】
画像表示装置ＭＳに人が近づいて、画像表示装置ＭＳの前に立った場合、赤外線センサ２３，２３の投光部２３ａから出射された赤外線が人に当たって反射する。反射光は赤外線センサ２３の受光部２３ｂに入射して受光素子上で結像し、その受光位置が信号化されて人体検知信号Ｄｓとしてコントロールユニット２５に出力される。
【００２８】
この人体検知信号Ｄｓは、コントロールユニット２５の図示しない入力部で受け付けられて、制御処理部７０の距離判断手段２２０に送信される。距離判断手段２２０はこの人体検知信号Ｄｓに基づいて、人との間の距離が、予め設定された距離の範囲内であるかどうかを判断し、判断結果を制御信号生成手段２４０に出力する。判断結果がＮＯの場合、制御信号生成手段２４０は、制御信号を生成せず、画面表示部１１の表示画面１３には、相変わらず待受け画像が表示される。判断結果がＹＥＳの場合、制御信号生成手段２４０は、動作設定記録部２３０に記録された動作、すなわち、「待受け画像の表示を停止して、別の特定の画像を表示する」という動作情報を読み込み、画像形成部３１にその動作を行わせるための制御信号を出力する。すると、画像形成部３１に接続された媒体から別の特定の画像データが呼び出されて画像表示部１１に送信され、待受け画像の代わりに当該特定の画像が表示される。この別の画像の表示状態は、制御処理部７０の距離判断手段２２０において、人との間の距離の判断結果がＮＯになるまで、あるいは所定の時間、継続するように任意に設定可能である。
【００２９】
このように構成された画像表示装置ＭＳによれば、ミラー部１が、入射光の一部を反射し一部を透過し、かつ赤外線透過性を有するハーフミラー４からなるため、光透過反射部７は赤外線透過性を有し、また、赤外線センサ２３，２３が、光透過反射部７の後面７ａに接近した状態で、光透過反射部７の後側に配置されるため、赤外線センサ２３，２３は人体を検知するという機能を果たしつつ、観察者により視認されず、装置全体としての外観やインテリア性が向上する。また、赤外線センサ２３，２３の存在を観察者に気付かせることなく、表示画面１３に表示される画像の操作ができるので、観察者に意外性を感じさせるという効果もあげることができる。また、赤外線センサ２３，２３が光透過反射部７の後側に配置されていれば、赤外線センサを装置設置位置の近傍の天井や壁等に配置させて別途配線を行う場合に比べて、画像表示装置の設置が容易となる。また、画像表示装置ＭＳによって画像が表示された場合には、鏡に映る情景、すなわち、ミラー部１の前面側からの入射光のうち、ミラー部１に反射した光により生成される像と、表示画面１３からミラー部１の光透過反射部７を透過して表示される画像とが重なって融合し、観察者に強い印象を与える、不思議で浮遊感のある映像演出ができ、高い空間演出効果を上げることができる。
【００３０】
また、画像表示装置ＭＳは、ミラー部１、画面表示部１１、赤外線センサ２３，２３、画面形成部３１および制御処理部７０を備えたコントロールユニット２５が基台１０に組み付けられて一体化されているので、所望の場所に移動させて使用することができ利便性が高い。
【００３１】
本考案の画像表示装置は、図５に示す画像表示装置ＭＳ２のように、タッチパネルとして機能可能に、光透過反射部７Ａの後面７ａにおける画面表示部１１の配置位置に、タッチセンサ層４ａを配設させてもよい。そして画像表示装置ＭＳ２では、画像表示部１１と赤外線センサ２３，２３とが、ミラー部１Ａにおける、遮光層５の設けられていない光透過反射部７Ａの後面７ａに接近した状態で、光透過反射部７Ａの後側に配置されて、図５および６に示すように、表示画面１３の前面にタッチセンサ層４ａが配置される態様となる。なお、画像表示装置ＭＳ２における画像表示部１１、赤外線センサ２３，２３、画像形成部３１の構成は先の実施形態である画像表示装置ＭＳと同じである。
【００３２】
タッチセンサ層４ａは、抵抗膜方式、静電容量方式等、タッチパネルを構成するための既存の任意の方式に対応する電極膜等からなり、制御処理部７０Ａに電気接続される。タッチセンサ層４ａが後面７ａに配置された状態のミラー部１Ａの光透過反射部７Ａに人の指先が触れると、タッチセンサ層４ａは接触があった位置を検出し、位置検出信号Ｐｓとして制御処理部７０Ａに出力する。
【００３３】
図７のブロック図に示すように、画像表示装置ＭＳ２の制御処理部７０Ａは、画像表示装置ＭＳの制御処理部７０におけるのと同様の、赤外線センサ２３、２３から人体検知信号Ｄｓを入力して、所定の動作を実行するように画像形成部３１に制御信号を出力する演算部（これを「第一演算部」とする）に加えて、表示画面１３に表示された画像が透過した状態の光透過反射部７Ａに人の接触があった際に、タッチセンサ層４ａから入力した位置検出信号Ｐｓに基づいて、光透過反射部７Ａにおけるどの位置領域に人体の接触があったか、すなわち、どの位置領域が指定されたかを認識し、認識した位置領域に対応する画像を表示画面１３に表示させるように画像形成部３１を制御する第二演算部を備える。
【００３４】
図７に示すように、第二演算部は、タッチセンサ層４ａから入力した位置検出信号Ｐｓに基づいて、タッチセンサ層４ａにおいて、どの位置領域が指定されたかをＸ方向及びＹ方向における座標として認識する位置認識手段３２０と、認識された位置領域に対応する画像を表示画面１３に表示させるように画像形成部３１に制御信号を出力する第二の制御信号生成手段３４０と、を備える。
【００３５】
このように構成された画像表示装置ＭＳ２の動作を説明すれば、人が画像表示装置ＭＳ２に接近すると、赤外線センサ２３，２３と、制御処理部７０Ａの第一演算部と、により、人との間の距離が予め設定された距離の範囲内であるかどうかが判断され、範囲内であると判断された場合に、第一演算部から画像形成部３１に送信された制御信号に基づき、表示画面１３に、待受け画像に代わって別の画像が、光透過反射部７Ａを透過して、たとえば図８に示すように表示される。この時、どの画像が表示画面１３に表示されている、との情報は第一演算部から第二演算部に伝達される。その後、この観察者が、表示画面１３上の画像における、たとえば「レストラン」の文字の位置を指で触れる、すなわち「レストラン」の文字が透過している光透過反射部７Ａの位置、に接触すると、その位置が位置検出信号Ｐｓとして制御処理部７０Ａに出力される。位置検出信号Ｐｓが入力された制御処理部７０Ａの第二演算部では、この位置検出信号Ｐｓに基づき、位置認識手段３２０が、タッチセンサ層４ａにおけるどの位置領域が指定されたかをＸ方向及びＹ方向における座標として認識し（図８では、（Ｘ１，Ｙ２））、その位置情報を第二制御信号生成手段３４０に送信する。すると、第二制御信号生成手段３４０は、認識された位置に対応する画像を再生して表示画面１３に表示させるための制御信号を画像形成部３１に出力する。こうして、「レストラン」の文字の位置に対応する画像が、画像形成部３１によって読み込まれて表示画面１３に表示され、光透過反射部７Ａを透過して、観察者に観察可能となる。
【００３６】
このように構成された画像表示装置ＭＳ２によれば、赤外線センサ２３，２３が光透過反射部７Ａの後側に配置されるため、観察者により視認されず、装置全体としての外観やインテリア性を向上させることができるとともに、観察者の求めに応じたインタラクティブな画像表示を行うことができる。
【００３７】
本考案は、上述した実施形態の構成に限られず、ほかにも種々の変形が可能である。たとえば、本実施形態では、矩形の画面表示部１１を、ミラー部１，１Ａの後面１ａに対向するように１つだけ配置させる構成としたが、画面表示部１１の形状や数はこれに限られず、目的用途に応じて、光透過反射部７，７Ａをミラー部１に複数個配置させ、光透過反射部７，７Ａの後面７ａに、対応する個数を配置してよく、形状も変更可能である。また、本実施形態では、大きなミラー部１の上縁側の一部を光透過反射部７とし、その後側に画面表示部１１と赤外線センサ２３，２３とを配置させる構成としたが、遮光層５を設けないでミラー部を全体的に光透過反射部７とし、これと近似した大きさの画面表示部１１を、赤外線センサ２３とともに光透過反射部７の後側に配置させてもよい。また、全面を光透過反射部７としたミラー部の後側に、複数の画面表示部１１を赤外線センサ２３とともに配置させてもよい。
【００３８】
また、赤外線センサ２３，２３は、本実施形態では、画面表示部１１の上部と下部の二か所に配置する構成としたが、赤外線センサ２３の配置位置や数はこれに限られず、目的用途、または表示画面１３のサイズに応じて、一つのみ、または３個以上配置してよい。また、画面表示部１１を複数個配置させる場合には、画面表示部１１毎に独立した制御処理部７０，７０Ａを配置させ、これに対応した赤外線センサ２３を配置させてもよい。また、赤外線センサ２３は、本実施形態では、人体に向けて赤外線を出射する投光部２３ａと、人体からの反射光を受光する受光部２３ｂとを備えて構成される赤外線反射型距離センサとしたが、赤外線を利用するものであれば、人体が放射する赤外線を受光することにより所定範囲内に人体がいるかいないかを判断する受動型の赤外線人感センサを使用し、これを、光透過反射部７，７Ａの後面７ａに接近した状態で、光透過反射部７，７Ａの後側に配置してもよい。ただし、本実施形態で採用したような距離センサであれば、受動型人感センサの場合のように、広い範囲内を通りがかっただけの人に反応して画像の表示や切り替え等を行うことなく、情報を求めて画像表示装置ＭＳ，ＭＳ２に一定の距離まで接近する人にのみ反応して、必要な情報を観察者にむけて効果的に表示することができる。
【００３９】
また、上述した実施形態では、画像形成部３１を画像表示部１１と別体とした構成を示したが、画像表示部１１が画像を媒体から読み込んで再生させる等の画像形成機能を備える構成として、コントロールユニット２５，２５Ａを画像表示部１１に接続させることとしても勿論よい。
【００４０】
また、上述した実施形態では、画像表示装置ＭＳ，ＭＳ２は、基台１０に支持されるスタンド型として説明したが、本考案にかかる画像表示装置ＭＳ，ＭＳ２は、ミラー部１，１Ａを額縁におさめた形として、既存の壁掛け用治具を使用した壁掛け式としてもよいし、建物の新築の際に取り付ける場合は、壁に掘り込みを作って後面側の画面表示部１１、赤外線センサ２３等を埋め込み、ミラー部１，１Ａが壁にぴったりと接近するように配置するようにすることもできる。
【符号の説明】
【００４１】
１，１Ａ  ・・・  ミラー部
４ａ  ・・・  タッチセンサ層
７，７Ａ  ・・・  光透過反射部
７ａ  ・・・  後面
１１  ・・・  画像表示部
１３  ・・・  表示画面
２３    ・・・  赤外線センサ
２３ａ  ・・・  投光部
２３ｂ  ・・・  受光部
３１  ・・・  画像形成部
７０，７０Ａ  ・・・  制御処理部
ＭＳ，ＭＳ２  ・・・  画像表示装置
【図１】
0003196837.tif 000003
【図３】
0003196837.tif 000004
【図４】
0003196837.tif 000005
【図６】
0003196837.tif 000006
【図７】
0003196837.tif 000007
【図８】
0003196837.tif 000008
【図２】
0003196837.tif 000009
【図５】
0003196837.tif 000010
【手続補正書】
【提出日】平成27年2月3日(2015.2.3)
【手続補正１】
【補正対象書類名】実用新案登録請求の範囲
【補正対象項目名】請求項２
【補正方法】変更
【補正の内容】
【請求項２】
請求項１に記載する画像表示装置であって、
前記赤外線センサが、人体に向けて赤外線を出射する投光部と、人体からの反射光を受光する受光部とを備えて構成される赤外線反射型距離センサであり、
前記投光部と前記受光部とが、前記ミラー部における前記光透過反射部の後面に接近した状態で、前記光透過反射部の後側に配置され、
前記制御処理部が、前記赤外線反射型距離センサから入力された人体検知信号に基づいて人体との距離を算出し、当該距離に基づいて前記画像形成部を制御する
ことを特徴とする画像表示装置。
【手続補正２】
【補正対象書類名】実用新案登録請求の範囲
【補正対象項目名】請求項４
【補正方法】変更
【補正の内容】
【請求項４】
請求項１乃至３のいずれかに記載する画像表示装置であって、前記ミラー部、前記画像表示部、前記赤外線センサ、前記画像形成部および前記制御処理部が一体化された画像表示装置。
【手続補正３】
【補正対象書類名】明細書
【補正対象項目名】００１０
【補正方法】変更
【補正の内容】
【００１０】
上記の画像表示装置において、赤外線センサを、人体に向けて赤外線を出射する投光部と、人体からの反射光を受光する受光部とを備えて構成される赤外線反射型距離センサとし、投光部と受光部とを、ミラー部における光透過反射部の後面に接近した状態で、光透過反射部の後側に配置して、制御処理部が、赤外線反射型距離センサから入力した人体検知信号に基づいて人体との距離を算出し、当該距離に基づいて画像形成部を制御するように構成することが望ましい。この構成では、赤外線センサが、広い範囲内を通りがかっただけの人に反応して画像の表示や切り替え等を行う受動型人感センサである場合と比較して、情報を求めて画像表示装置に一定の距離まで接近する人にのみ反応して、必要な情報を観察者にむけて効果的に表示することができる。
【手続補正４】
【補正対象書類名】明細書
【補正対象項目名】００１２
【補正方法】変更
【補正の内容】
【００１２】
また、上記の画像表示装置を、ミラー部、画像表示部、赤外線センサ、画像形成部および制御処理部を一体化した構成とすれば、所望の場所に移動させて使用することができ利便性が高い。
【手続補正５】
【補正対象書類名】明細書
【補正対象項目名】００１３
【補正方法】変更
【補正の内容】
【００１３】
【図１】本考案の実施形態である画像表示装置の斜視図である。
【図２】図１の画像表示装置の概略分解斜視図である。
【図３】図１の画像表示装置の概略部分縦断面図である。
【図４】図１の画像表示装置のブロック図である。
【図５】別の実施形態の画像表示装置の概略分解斜視図である。
【図６】図５の画像表示装置の概略部分縦断面図である。
【図７】図５の画像表示装置のブロック図である。
【図８】図５の画像表示装置において、画像の一例が表示された表示画面を示す図である。
【手続補正６】
【補正対象書類名】明細書
【補正対象項目名】００２８
【補正方法】変更
【補正の内容】
【００２８】
この人体検知信号Ｄｓは、コントロールユニット２５の図示しない入力部で受け付けられて、制御処理部７０の距離判断手段２２０に送信される。距離判断手段２２０はこの人体検知信号Ｄｓに基づいて、人との間の距離が、予め設定された距離の範囲内であるかどうかを判断し、判断結果を制御信号生成手段２４０に出力する。判断結果がＮＯの場合、制御信号生成手段２４０は、制御信号を生成せず、画像表示部１１の表示画面１３には、相変わらず待受け画像が表示される。判断結果がＹＥＳの場合、制御信号生成手段２４０は、動作設定記録部２３０に記録された動作、すなわち、「待受け画像の表示を停止して、別の特定の画像を表示する」という動作情報を読み込み、画像形成部３１にその動作を行わせるための制御信号を出力する。すると、画像形成部３１に接続された媒体から別の特定の画像データが呼び出されて画像表示部１１に送信され、待受け画像の代わりに当該特定の画像が表示される。この別の画像の表示状態は、制御処理部７０の距離判断手段２２０において、人との間の距離の判断結果がＮＯになるまで、あるいは所定の時間、継続するように任意に設定可能である。
【手続補正７】
【補正対象書類名】明細書
【補正対象項目名】００３０
【補正方法】変更
【補正の内容】
【００３０】
また、画像表示装置ＭＳは、ミラー部１、画像表示部１１、赤外線センサ２３，２３、画像形成部３１および制御処理部７０を備えたコントロールユニット２５が基台１０に組み付けられて一体化されているので、所望の場所に移動させて使用することができ利便性が高い。
【手続補正８】
【補正対象書類名】明細書
【補正対象項目名】００３１
【補正方法】変更
【補正の内容】
【００３１】
本考案の画像表示装置は、図５に示す画像表示装置ＭＳ２のように、タッチパネルとして機能可能に、光透過反射部７Ａの後面７ａにおける画像表示部１１の配置位置に、タッチセンサ層４ａを配設させてもよい。そして画像表示装置ＭＳ２では、画像表示部１１と赤外線センサ２３，２３とが、ミラー部１Ａにおける、遮光層５の設けられていない光透過反射部７Ａの後面７ａに接近した状態で、光透過反射部７Ａの後側に配置されて、図５および６に示すように、表示画面１３の前面にタッチセンサ層４ａが配置される態様となる。なお、画像表示装置ＭＳ２における画像表示部１１、赤外線センサ２３，２３、画像形成部３１の構成は先の実施形態である画像表示装置ＭＳと同じである。
【手続補正９】
【補正対象書類名】明細書
【補正対象項目名】００３７
【補正方法】変更
【補正の内容】
【００３７】
本考案は、上述した実施形態の構成に限られず、ほかにも種々の変形が可能である。たとえば、本実施形態では、矩形の画像表示部１１を、ミラー部１，１Ａの後面１ａに対向するように１つだけ配置させる構成としたが、画像表示部１１の形状や数はこれに限られず、目的用途に応じて、光透過反射部７，７Ａをミラー部１に複数個配置させ、光透過反射部７，７Ａの後面７ａに、対応する個数を配置してよく、形状も変更可能である。また、本実施形態では、大きなミラー部１の上縁側の一部を光透過反射部７とし、その後側に画像表示部１１と赤外線センサ２３，２３とを配置させる構成としたが、遮光層５を設けないでミラー部を全体的に光透過反射部７とし、これと近似した大きさの画像表示部１１を、赤外線センサ２３とともに光透過反射部７の後側に配置させてもよい。また、全面を光透過反射部７としたミラー部の後側に、複数の画像表示部１１を赤外線センサ２３とともに配置させてもよい。
【手続補正１０】
【補正対象書類名】明細書
【補正対象項目名】００３８
【補正方法】変更
【補正の内容】
【００３８】
また、赤外線センサ２３，２３は、本実施形態では、画像表示部１１の上部と下部の二か所に配置する構成としたが、赤外線センサ２３の配置位置や数はこれに限られず、目的用途、または表示画面１３のサイズに応じて、一つのみ、または３個以上配置してよい。また、画像表示部１１を複数個配置させる場合には、画像表示部１１毎に独立した制御処理部７０，７０Ａを配置させ、これに対応した赤外線センサ２３を配置させてもよい。また、赤外線センサ２３は、本実施形態では、人体に向けて赤外線を出射する投光部２３ａと、人体からの反射光を受光する受光部２３ｂとを備えて構成される赤外線反射型距離センサとしたが、赤外線を利用するものであれば、人体が放射する赤外線を受光することにより所定範囲内に人体がいるかいないかを判断する受動型の赤外線人感センサを使用し、これを、光透過反射部７，７Ａの後面７ａに接近した状態で、光透過反射部７，７Ａの後側に配置してもよい。ただし、本実施形態で採用したような距離センサであれば、受動型人感センサの場合のように、広い範囲内を通りがかっただけの人に反応して画像の表示や切り替え等を行うことなく、情報を求めて画像表示装置ＭＳ，ＭＳ２に一定の距離まで接近する人にのみ反応して、必要な情報を観察者にむけて効果的に表示することができる。
【手続補正１１】
【補正対象書類名】明細書
【補正対象項目名】００４０
【補正方法】変更
【補正の内容】
【００４０】
また、上述した実施形態では、画像表示装置ＭＳ，ＭＳ２は、基台１０に支持されるスタンド型として説明したが、本考案にかかる画像表示装置ＭＳ，ＭＳ２は、ミラー部１，１Ａを額縁におさめた形として、既存の壁掛け用治具を使用した壁掛け式としてもよいし、建物の新築の際に取り付ける場合は、壁に掘り込みを作って後面側の画像表示部１１、赤外線センサ２３等を埋め込み、ミラー部１，１Ａが壁にぴったりと接近するように配置するようにすることもできる。